(57)【要約】【課題】ゲートウェイ装置と近距離無線通信デバイス装置とのネットワーク接続の設定操作を容易にするシステムを得る。【解決手段】単一グループ内に複数存在しインターネットに接続可能なゲートウェイ装置10に対して、前記グループに所属する複数人でデバイス装置12を共有するデバイス装置設定システムにおいて、各ゲートウェイ装置10に接続可能な管理サーバ2を有し、管理サーバ2は、任意の一つのゲートウェイ装置10がデバイス装置12に対して接続設定を完了する毎に、ゲートウェイ装置10がインターネットに接続するための設定プロファイルを生成し、グループＩＤとともに保存する設定プロファイル記録部21と、前記任意の一つのゲートウェイ装置以外のゲートウェイ装置からの設定プロファイルの取得要求を受け、ゲートウェイ装置へ設定プロファイルを送信する設定プロファイル送信部22とを備える。【選択図】図２
2014167694.tif 000002
【特許請求の範囲】
【請求項１】
単一グループ内に複数存在しインターネットに接続可能なホームゲートウェイやスマートフォン等のゲートウェイ装置（親機）に対して、前記グループに所属する複数人で近距離無線通信デバイス装置（子機）を共有する場合において、
前記各ゲートウェイ装置に接続可能な管理サーバを備える一方、
前記各ゲートウェイ装置が前記管理サーバに対して利用登録を行う手順と、
前記管理サーバが前記各ゲートウェイ装置と前記グループＩＤの組を保存する手順と、
前記管理サーバが前記各ゲートウェイ装置に対してグループＩＤを付与する手順と、
前記各ゲートウェイ装置のうち任意の一つのゲートウェイ装置が前記デバイス装置に対して接続設定操作を行う手順と、
前記任意の一つのゲートウェイ装置が設定プロファイルを作成する手順と、
前記設定プロファイルを管理サーバに登録する手順と、
前記管理サーバが前記グループＩＤ、前記設定プロファイル、ゲートウェイ装置情報の組を保存する手順と、
前記任意の一つのゲートウェイ装置以外のゲートウェイ装置が前記接続設定操作の行われた前記デバイス装置を自動的に検知する手順と、
前記管理サーバが前記任意の一つのゲートウェイ装置以外のゲートウェイ装置に対して前記設定プロファイルの適用を行う手順と、
を含むことを特徴とするゲートウェイ装置におけるデバイス装置の設定方法。
【請求項２】
前記任意の一つのゲートウェイ装置以外のゲートウェイ装置から前記管理サーバへ前記デバイス装置に対するゲートウェイ装置の切替要求を行う手順と、
前記管理サーバから前記任意の一つのゲートウェイ装置へ前記デバイス装置に対するゲートウェイ装置の切替要求を行う手順と、
前記任意の一つのゲートウェイ装置以外のゲートウェイ装置と前記任意の一つのゲートウェイ装置からの応答により前記管理サーバによるゲートウェイ装置の切替制御を行う手順と
を備えた請求項１に記載のゲートウェイ装置におけるデバイス装置の設定方法。
【請求項３】
単一グループ内に複数存在しインターネットに接続可能なゲートウェイ装置（親機）に対して、前記グループに所属する複数人で近距離無線通信デバイス装置（子機）を共有するシステムにおいて、
前記各ゲートウェイ装置に接続可能な管理サーバを有し、
前記管理サーバは、
任意の一つのゲートウェイ装置が近距離無線通信デバイス装置（子機）に対して接続設定（ペアリング操作や設定操作）を完了する毎に、前記ゲートウェイ装置がインターネットに接続するための設定プロファイルを生成し、前記グループを識別するグループＩＤとともに保存する設定プロファイル記録部と、
前記任意の一つのゲートウェイ装置以外のゲートウェイ装置からの前記設定プロファイルの取得要求を受け、当該ゲートウェイ装置へ前記設定プロファイルを送信する設定プロファイル送信部と
を備えたことを特徴とするデバイス装置設定システム。
【請求項４】
前記管理サーバは、
前記任意の一つのゲートウェイ装置以外のゲートウェイ装置及び前記任意の一つのゲートウェイ装置との送受信によりゲートウェイ装置の切替を行うデバイス切替制御部を
含むことを特徴とする請求項３に記載のデバイス装置設定システム。
【請求項５】
請求項１又は請求項２に記載の各手順をコンピュータに実行させることを特徴とするデバイス装置設定プログラム。
【発明の詳細な説明】
【技術分野】
【０００１】
本発明は、Bluetooth（登録商標）や無線LAN（Wi-Fi，802.11a/b/g/n等）の近距離無線通信デバイス装置（以下、デバイス装置という）を介して外部ネットワークへの接続を提供するゲートウェイ装置において、ネットワーク接続を要求するデバイス装置に対して、Bluetooth（登録商標）や無線LANの設定を簡素化する設定方法、及び、この機能を備えたデバイス装置設定システム及びデバイス装置設定プログラムに関する。
【背景技術】
【０００２】
現在、Bluetooth（登録商標）や無線LANを用いて、デバイス装置がゲートウェイ装置と通信するためには、ペアリング操作（Bluetooth（登録商標）の場合）やデバイス装置への設定操作（無線LANの場合）が必要となる。
ペアリング操作は、デバイス装置とゲートウェイ装置が備える設定ボタンをほぼ同時に押下し、さらに、場合によってはデバイス装置によって予め決められたパスワードをゲートウェイ装置に入力することで実行される。
設定操作は、ゲートウェイ装置を識別するSSID（Service Set Identifier）と、暗号化方式、暗号化キーの組を、デバイス装置を操作し設定することで実行される。設定操作の簡素化を図るため、ほぼ同時に設定ボタンを押下する等の手順が提案されている。
【０００３】
また、近年においては、外部ネットワークを介して情報取得や遠隔操作が可能なデバイス装置としてMachine-To-Machine（M2M、M2Mを行う機器をM2Mデバイスと呼ぶ）の急速な普及が予想されている。M2Mサービスを提供するためには、M2Mデバイスをインターネット等の外部ネットワークに接続する必要がある。M2Mデバイスを外部ネットワーク接続するためには、一般に、次の２つの構成が考えられている。
（構成１）全てのM2MデバイスがLTEやWiMax、3G等の外部ネットワークに接続可能な通信モジュールを具備する構成。
（構成２）既に外部ネットワークに接続する機能を有するホームゲートウェイ(HGW)やスマートフォン等に、Bluetooth（登録商標）や無線LAN等でM2Mデバイスを一旦接続し、HGWやスマートフォン等がM2Mデバイスに外部ネットワークへの接続を提供する構成（以下、外部ネットワークへの接続を提供する、HGWやスマートフォンをM2M-GWと呼ぶ）。
【０００４】
あらゆるモノが通信するM2Mを実現するには、M2Mデバイスの低価格化が必要であり、Bluetooth（登録商標）やWi-Fi等、比較的安価な通信モジュールで実現できる上述した構成２の伸長が今後予想される。
【０００５】
例えば図６に示すように、デバイス装置（M2Mデバイス）１２をゲートウェイ装置（M2M-GW）１０にBluetooth（登録商標）や無線LANを使用して一旦接続し、ゲートウェイ装置（M2M-GW）１０がデバイス装置（M2Mデバイス）１２に対して、外部ネットワーク（インターネット３）への接続を提供する構成が想定される。この場合、デバイス装置（M2Mデバイス）１２とゲートウェイ装置（M2M-GW）１０間で、Bluetooth（登録商標）や無線LANを介した通信を実施するためには、デバイス装置（M2Mデバイス）１２とゲートウェイ装置（M2M-GW）１０間の全ての組でそれぞれペアリング操作や設定操作が必要となる。
そして、M2Mが普及し、多数のデバイス装置（M2Mデバイス９１２と複数のゲートウェイ装置（M2M-GW）１０間の接続構成の組み合わせが、時々刻々と切り替わりながら利用される場面を想定した場合、デバイス装置（M2Mデバイス）１２とゲートウェイ装置（M2M-GW）１０の組み合わせの数だけ予め設定作業を実施する必要があり、普及の阻害となるという課題が存在した。
【０００６】
そこで、非特許文献１〜３に示されるように、Bluetooth（登録商標）のペアリング操作や無線LANの設定操作を簡素化する技術が提案されている。
しかしながら、いずれもゲートウェイ装置とデバイス装置の設定ボタンの同時押下操作など、なんらかの設定操作が必要であり、そもそも利用のためにペアリング操作や設定操作が必要なことを知らない等、Bluetooth（登録商標）や無線LAN等の操作に不慣れな利用者にとっては、必ずしも簡単にBluetooth（登録商標）や無線LAN等が利用できる状況には至っていない。
【先行技術文献】
【非特許文献】
【０００７】
【非特許文献１】https://www.bluetooth.org/apps/content/
【非特許文献２】http://www.wi-fi.org/knowledge-center/articles/wi-fi-protected-setup%E2%84%A2
【非特許文献３】http://www.google.co.jp/url?sa=t&rct=j&q=AirStation+One-Touch+Secure+System&source=web&cd=5&ved=0CFIQFjAE&url=http%3A%2F%2Fwww.buffalotech.com%2Ffiles%2FAOSS_WP_Final.pdf&ei=XmYmT7m6C8H4mAXOvuTBAg&usg=AFQjCNEDiE7Fr0faYVriwcCmJWIu12qaVg&sig2=bCdlmMxN8Hm3hYysIHV21w
【発明の概要】
【発明が解決しようとする課題】
【０００８】
すなわち、上述した設定方法であると、ゲートウェイ装置１０（M2M-GWであり、Bluetooth（登録商標）や無線LANの親機）と、Bluetooth（登録商標）や無線LANを介してデバイス装置１２（M2Mデバイスであり、Bluetooth（登録商標）や無線LANの子機）が通信する場面において、通信前に、通信を行う全てのゲートウェイ装置１０とデバイス装置１２間でペアリング操作や設定操作が必要となるので設定操作が煩雑となり、M2Mの普及の阻害要因となる懸念が存在した。
【０００９】
本発明は上記実情に鑑みて提案されたものであり、Bluetooth（登録商標）や無線LANを使ってネットワーク接続を要求するデバイス装置に既存の通信方式にはない特殊な通信シーケンスを追加する等を行うことなく、ネットワーク接続の設定操作を容易に行うことができるゲートウェイ装置におけるデバイス装置の設定方法、この機能を備えたデバイス装置設定システム、及び、デバイス装置設定プログラムを提供することを目的としている。
【課題を解決するための手段】
【００１０】
上記目的を達成するため本発明は、新たに管理サーバを導入し、この管理サーバがゲートウェイ装置（親機）と連携することで、既存のデバイス装置（子機）に手を加えることなく、ネットワーク接続の設定操作を容易にする。
具体的には、一般家庭やSOHO、企業、団体等の複数人でBluetooth（登録商標）や無線LAN等のデバイス装置を共用利用する場面を想定し、単一のグループ（一家庭や一企業、一団体）で、Bluetooth（登録商標）や無線LANの利用に関する知識を有する一人以上の管理者が、ペアリング操作や設定操作を実施すれば、グループ内の他の利用者は、本発明の利用によって、ペアリング操作や設定操作を必要なく利用可能とすることを実現する。
【００１１】
すなわち、請求項１の発明方法は、単一グループ内に複数存在しインターネットに接続可能なホームゲートウェイやスマートフォン等のゲートウェイ装置（親機）に対して、前記グループに所属する複数人で近距離無線通信デバイス装置（Bluetooth（登録商標）や無線LANデバイス等のデバイス装置）（子機）を共有する場合において、前記各ゲートウェイ装置に接続可能な管理サーバを備える一方、次の各手順を含んだゲートウェイ装置におけるデバイス装置の設定方法を特徴としている。
前記各ゲートウェイ装置が前記管理サーバに対して利用登録を行う手順。
前記管理サーバが前記各ゲートウェイ装置と前記グループＩＤの組を保存する手順。
前記管理サーバが前記各ゲートウェイ装置に対してグループＩＤを付与する手順。
前記各ゲートウェイ装置のうち任意の一つのゲートウェイ装置が前記デバイス装置に対して接続設定操作を行う手順。
前記任意の一つのゲートウェイ装置が設定プロファイルを作成する手順。
前記設定プロファイルを管理サーバに登録する手順。
前記管理サーバが前記グループＩＤ、前記設定プロファイル、ゲートウェイ装置情報の組を保存する手順。
前記任意の一つのゲートウェイ装置以外のゲートウェイ装置が前記接続設定操作の行われた前記デバイス装置を自動的に検知する手順。
前記管理サーバが前記任意の一つのゲートウェイ装置以外のゲートウェイ装置に対して前記設定プロファイルの適用を行う手順。
【００１２】
請求項２の発明方法は、請求項１のゲートウェイ装置におけるデバイス装置の設定方法において、
さらに、前記任意の一つのゲートウェイ装置以外のゲートウェイ装置から前記管理サーバへ前記デバイス装置に対するゲートウェイ装置の切替要求を行う手順と、
前記管理サーバから前記任意の一つのゲートウェイ装置へ前記デバイス装置に対するゲートウェイ装置の切替要求を行う手順と、
前記任意の一つのゲートウェイ装置以外のゲートウェイ装置と前記任意の一つのゲートウェイ装置からの応答により前記管理サーバによるゲートウェイ装置の切替制御を行う手順と
を備えていることを特徴としている。
【００１３】
請求項３のデバイス装置設定システムは、単一グループ内に複数存在しインターネットに接続可能なゲートウェイ装置（親機）に対して、前記グループに所属する複数人で近距離無線通信デバイス装置（子機）を共有するシステムにおいて、前記各ゲートウェイ装置に接続可能な管理サーバを有し、
前記管理サーバは、
任意の一つのゲートウェイ装置が近距離無線通信デバイス装置（子機）に対して接続設定（ペアリング操作や設定操作）を完了する毎に、前記ゲートウェイ装置がインターネットに接続するための設定プロファイルを生成し、前記グループを識別するグループＩＤとともに保存する設定プロファイル記録部と、
前記任意の一つのゲートウェイ装置以外のゲートウェイ装置からの前記設定プロファイルの取得要求を受け、当該ゲートウェイ装置へ前記設定プロファイルを送信する設定プロファイル送信部と
を備えたことを特徴としている。
【００１４】
請求項４は、請求項３のデバイス装置設定システムにおいて、
前記管理サーバは、
前記任意の一つのゲートウェイ装置以外のゲートウェイ装置及び前記任意の一つのゲートウェイ装置との送受信によりゲートウェイ装置の切替を行うデバイス切替制御部を含むことを特徴としている。
【００１５】
請求項５のデバイス装置設定プログラムは、請求項１又は請求項２に記載の各手順をコンピュータに実行させることを特徴としている。
【発明の効果】
【００１６】
家族内や同一企業内、団体内で共有されるBluetooth（登録商標）や無線LANなどの近距離無線通信デバイス装置（子機）を、ゲートウェイ装置（親機）と接続する場面において、従来、通信する全ての親機と子機の組において、それぞれ接続設定（ペアリング操作や設定操作）が必要であったのに対し、本発明によれば、同一グループ内で任意の親機から子機に対して１回のみ設定されれば、以降の他の親機と子機間の接続設定が不要となる。
【００１７】
また、Bluetooth（登録商標）や無線LANを使ってネットワーク接続を要求するデバイス装置に対して、既存の通信方式にはない特殊な通信シーケンスを追加する等の改変を加えることなく、接続設定（通信設定）を行うことができる。
【図面の簡単な説明】
【００１８】
【図１】本発明のデバイス装置設定システムの全体構成を示すブロック図である。
【図２】本発明のゲートウェイ装置におけるデバイス装置の設定方法の手順を示す処理シーケンス図である。
【図３】ゲートウェイ装置（M2M-GW）を切り替える際に表示される画面例の説明図である。
【図４】ゲートウェイ装置（M2M-GW）を切り替える際に表示される画面例の説明図である。
【図５】本発明によるデバイス装置設定システムの構成図である。
【図６】従来例によるデバイス装置設定システムの構成図である。
【発明を実施するための形態】
【００１９】
本発明のデバイス装置設定システムは、ゲートウェイ装置によりデバイス装置の接続設定を行うシステムであり、図１に示すように、グループ１内に配置される複数のゲートウェイ装置（M2M-GW）１０及び複数のデバイス装置（M2Mデバイス）１２と、複数のゲートウェイ装置（M2M-GW）１０を管理する管理サーバ（M2Mデバイス管理サーバ）２とがインターネット３を介して接続される環境が構築されている。
【００２０】
ゲートウェイ装置（M2M-GW）１０は、ホームゲートウェイやスマートフォン等であり、デバイス装置１２に対して接続設定（通信設定）を行う親機を構成している。
デバイス装置（M2Mデバイス）１２は、近距離無線通信デバイス装置（Bluetooth（登録商標）や無線LANデバイス等であり、ＰＣ、テレビ、ビデオ録画装置、オーディオ機器、空調機器、自動掃除機、ゲーム機、車載コンピュータ、温度計等、インターネット３を介して情報を送信可能、若しくはインターネット３を介して遠隔操作可能な全ての機器が含まれ、ゲートウェイ装置（親機）１０により接続設定の操作可能な子機を構成している。
ゲートウェイ装置（親機）１０は設定プロファイル作成部１１を備えることで、デバイス装置１２の接続設定を行うに際しての各種情報を作成するように構成されている。
【００２１】
管理サーバ（M2Mデバイス管理サーバ）２は、デバイス装置１２の接続設定操作を容易化するために新たに導入したサーバであり、デバイス装置１２の接続設定のための情報（設定プロファイル）を記録する設定プロファイル記録部２１、この情報をゲートウェイ装置１０へ送信する設定プロファイル送信部２２、設定プロファイルの送受信や処理操作を制御する制御部２３を備えている。ゲートウェイ装置（親機）１０の設定プロファイル作成部１１で作成された設定プロファイルは、設定プロファイル記録部２１に記録され、記録された設定プロファイルは、設定プロファイル送信部２２により他のゲートウェイ装置（親機）１０へ送信可能なように構成されている。
すなわち、管理サーバ２が複数のゲートウェイ装置（M2M-GW）１０と連携することで、既存のデバイス装置（M2Mデバイス）１２に手を加えることなく、グループ１内で接続設定の共有化を実現している。
【００２２】
本発明のデバイス装置設定システムは、管理サーバ（M2Mデバイス管理サーバ）２及び各ゲートウェイ装置（M2M-GW）１０に格納されたデバイス装置設定プログラムにより構築される。各ゲートウェイ装置（M2M-GW）１０は、インターネット３を介してソフトウエアのダウンロードによりデバイス装置設定プログラムがインストールされるようしてもよい。
また、管理サーバ（M2Mデバイス管理サーバ）２は、コンピュータを備え、オペレーティングシステム（ＯＳ）を含む基本プログラムや各種の基本デバイスが記憶されたＲＯＭと、各種のプログラムやデータが記憶されるハードディスクドライブ装置(HDD)と、CR-ROMやDVD等の記憶媒体からプログラムやデータを読み出すメディアドライブ装置と、プログラムを実行するCPUと、このCPUにワークエリアを提供するRAM、情報入力手段及びディスプレイ手段等、通常のコンピュータが有する主要な構成を備えている。
各ゲートウェイ装置（M2M-GW）１０は、オペレーティングシステム(OS)を含む基本プログラムやメモリ、プログラムを実行するCPU等コンピュータが有する主要な構成を備えている。
【００２３】
次に、本発明のゲートウェイ装置におけるデバイス装置の設定方法の手順について、図２の処理シーケンス図を参照しながら説明する。
先ず、デバイス装置設定システムによりデバイス装置１２の接続設定を行う場合の事前準備について説明する。
本機能を利用する各ゲートウェイ装置（M2M-GW）１０ａ，１０ｂは、管理サーバ（M2M管理サーバ）２に接続し、利用登録を行う（ステップＳ１）。利用登録では、各ゲートウェイ装置（M2M-GW）１０ａ，１０ｂの利用者情報と、デバイスの種類等のM2M-GW情報の入力を行う。
【００２４】
管理サーバ２は、ステップＳ１の利用登録で入力された情報を自身のデータベースに保存するとともに、グループＩＤを発行し、これらを関連付けて保存する（ステップＳ２）。既にグループＩＤが発行済みの場合は、グループＩＤの新規発行は実施しない。
【００２５】
管理サーバ２は、ステップＳ１の利用登録の応答として、グループＩＤを各ゲートウェイ装置（M2M-GW）１０ａ，１０ｂに付与する（ステップＳ３）。グループＩＤは、例えば家族や同一企業など、同じグループに所属する各ゲートウェイ装置（M2M-GW）について同じＩＤが設定される。
【００２６】
次に、Bluetooth（登録商標）や無線LANの利用に関する知識を有する者（例えば、管理者）が、ゲートウェイ装置（M2M-GW1）１０ａによりグループ内に属する任意のデバイス装置（M2M）１２に対して、インターネットへの接続設定を行う（ステップＳ４）。この接続設定は、既存のBluetooth（登録商標）のペアリング操作や無線LAN設定操作と同じものである。
【００２７】
デバイス装置（M2M）１２の設定を行ったゲートウェイ装置（M2M-GW1）１０ａは、設定プロファイル作成部１１において、デバイス装置１２との接続設定情報が記載された設定プロファイルを作成する（ステップＳ５）。接続設定情報は、例えば無線LANの場合、SSIDと暗号キーの組等が相当する。
【００２８】
ゲートウェイ装置（M2M-GW1）１０ａで作成された設定プロファイルは、管理サーバ２に登録する（ステップＳ６）。
【００２９】
管理サーバ２は、グループＩＤ、設定プロファイル、接続中のゲートウェイ装置（M2M-GW1）１０ａの情報の組を保存する（ステップＳ７）。
以上の処理が、デバイス装置設定システムによりグループ内のデバイス装置１２の接続設定をおこなうための事前準備となる。
【００３０】
上述した事前準備が行われたデバイス装置設定システムでは、ゲートウェイ装置（M2M-GW1）１０ａにより接続設定が行われたデバイス装置１２との接続設定が未設定のゲートウェイ装置（M2M-GW2）１０ｂが、デバイス装置１２から発する信号を受信する既存技術でデバイス装置１２を検知する（ステップＳ８）。
【００３１】
続いて、デバイス装置１２の検知を受け、デバイス装置１２に対する接続設定が未設定であるゲートウェイ装置（M2M-GW2）１０ｂを使用するユーザが、デバイス装置１２との接続設定を希望する場合、ユーザの入力による接続設定の処理操作について説明する。
【００３２】
デバイス装置１２を検知したゲートウェイ装置（M2M-GW2）１０ｂは、検知したデバイス装置１２の設定プロファイルが自身に存在しない場合（対象のデバイス装置１２の設定が自身に無い場合）、管理サーバ２に対して設定プロファイルの取得要求を、自身のグループＩＤ及びM2Mデバイス情報とともに送信する（ステップＳ９）。
【００３３】
管理サーバ２は、デバイス装置１２に対応する設定プロファイルをゲートウェイ装置（M2M-GW2）１０ｂに応答する（ステップＳ１０）。
【００３４】
設定プロファイルを受信したゲートウェイ装置（M2M-GW2）１０ｂは、自身に設定プロファイルを適用する（ステップＳ１１）。例えばBluetooth（登録商標）で考えた場合、ゲートウェイ装置（M2M-GW1）１０ａとゲートウェイ装置（M2M-GW2）１０ｂのそれぞれがデバイス装置１２とペアリングが完了した状態となる。
【００３５】
デバイス装置１２の中には、複数のゲートウェイ装置１０と同時に通信できないものが多く含まれるため、デバイス装置１２と通信するゲートウェイ装置をゲートウェイ装置（M2M-GW1）１０ａからゲートウェイ装置（M2M-GW2）１０ｂに切替えるために、ゲートウェイ装置（M2M-GW2）１０ｂは、デバイス装置１２の通信先の切替要求を送信する（ステップＳ１２）。
【００３６】
管理サーバ２は、自身のデータベースより対象のデバイス装置１２が、現在、ゲートウェイ装置（M2M-GW1）１０ａと通信中（利用者Ｚ）であることを特定し、通信中のゲートウェイ装置（M2M-GW1）１０ａに、切替要求を送信する（ステップＳ１３）。
ゲートウェイ装置（M2M-GW1）１０ａと通信中であることを特定した場合、利用者Ｙのゲートウェイ装置（M2M-GW1）１０ｂに対しては、図３に示すような画面（利用者Ｚが使用中）が表示され、切替処理を行って良いかの確認が行われ、「使用する」を選択した場合に切替要求が実行され、ゲートウェイ装置（M2M-GW1）１０ａへ切替要求が送信される。
切替要求を受信したゲートウェイ装置（M2M-GW1）１０ａは、図４に示すように、ユーザ（利用者Ｚ）に対して利用者Ｙが切換要求を希望している旨のメッセージのポップアップ等を用いた確認（ＯＫボタンそ選択）により、通信中のデバイス装置１２との通信をゲートウェイ装置（M2M-GW2）１０ｂに切り替えることを決める。
【００３７】
ゲートウェイ装置（M2M-GW1）１０ａ及びゲートウェイ装置（M2M-GW2）１０ｂは、通信中の対象デバイス装置の接続先をゲートウェイ装置（M2M-GW1）１０ａからゲートウェイ装置（M2M-GW2）に切り替える通信制御を行う（ステップＳ１４）。
この際、デバイス装置１２には現在の各標準化団体が策定した標準に従った振舞を行うことを想定し、切替はゲートウェイ装置１０（及び管理サーバ２）のみで行う。
なお、親機側から通信を切断する手順は、Bluetooth（登録商標）、無線LANともに標準化団体により用意されている。
【００３８】
上述した管理サーバ（M2M管理サーバ）２を備えたデバイス設定システムによれば、図５に示すように、一般家庭やSOHO、企業、団体等の複数人でBluetooth（登録商標）や無線LAN等のデバイス装置（M2M）を共用利用する場合に、単一のグループ（一家庭や一企業、一団体）で、１人以上のBluetooth（登録商標）や無線LANの利用に関する知識を有する管理者が、任意のゲートウェイ装置（M2M-GW）によりデバイス装置（M2M）とのペアリング操作や設定操作を実施すれば、グループ内の他の利用者は、自動的に当該デバイス装置（M2M）を検知して切替要求を行うことで、ペアリング操作や設定操作の必要なくインターネットに接続して利用可能とすることができる。
これは、従来例のデバイス設定システム（図６）においては、デバイス装置（M2M）とゲートウェイ装置（M2M-GW）の組み合わせの数だけ予め設定作業を実施する必要があったのに対して、１グループ内で１回のみ設定作業を行えば、デバイス装置（M2M）１２は同一グループ内の全てのゲートウェイ装置（M2M-GW）と通信が可能となるので、煩雑な設定操作を回避し接続設定を容易に行うことができる。
【符号の説明】
【００３９】
１…グループ、  ２…管理サーバ（M2M管理サーバ）、  ３…インターネット、  １０…ゲートウェイ装置（M2M-GW）、  １１…設定プロファイル作成部、  １２…デバイス装置（M2Mデバイス）、  ２１…設定プロファイル記録部、  ２２…設定プロファイル送信部、  ２３…制御部。
【図１】
2014167694.tif 000003
【図２】
2014167694.tif 000004
【図３】
2014167694.tif 000005
【図４】
2014167694.tif 000006
【図５】
2014167694.tif 000007
【図６】
2014167694.tif 000008